(57)【要約】【課題】各部屋に空調機をそれぞれ設けることなく、建物内部のすべての部屋を効率良く冷暖房することができ、かつ部屋の内部で生じ易い温度差を抑えられるようにした、換言すれば、低コストで冷暖房時の室内温度を均一に調整することが可能な空調装置を提供する。【解決手段】建物の室内空間を空調する空調装置１Ａであって、基礎１２と、床材１１との間に形成される床下空間Ｓ１に向けて空調された暖気又は冷気を送り込む空調機２と、建物の室内空間Ｓ２の温度に応じて空調機２の運転を制御する制御部４と、を備えた。【選択図】図１
2011047635.tif 000002
【特許請求の範囲】
【請求項１】
建物の室内空間を空調する空調装置であって、
基礎又は階下の天井と、床材との間に形成される床下空間に向けて空調された暖気又は冷気を送り込む空調機と、
前記建物の室内空間の温度に応じて前記空調機の運転を制御する制御部と、
を備えた、ことを特徴とする空調装置。
【請求項２】
前記床下空間は、基礎と床材との間に形成される密閉された床下全体が、一つの、単一空間から構成されるとともに、
前記空調機は単一のものから構成された、
ことを特徴とする請求項１に記載の空調装置。
【請求項３】
前記床下空間の空気を室内空間へ移動させることにより空気の滞留し易い箇所を無くし、前記床下空間全体に暖気又は冷気を均一に行きわたらせ、床下空間の温度を円滑に均一にするために、前記床材に配設した開閉調整が可能な流動調整口と、を備えたことを特徴とする、請求項１に記載の建物の空調装置。
【請求項４】
前記建物は、平屋または２階以上からなる構成であって、
２階以上の階層での床下空間は、前記１階部分の床下空間と連通管で連通されているとともに、
１階部分の床下空間において前記空調機の空気吹出口付近と前記連通管との間に開閉手段を備え、かつ、
前記空調機で冷、暖房運転を行う場合には、前記開閉手段を開いて、前記空調機からの冷、暖気を前記２階以上の階層での床下空間にも送り込むように構成した、ことを特徴とする請求項１乃至３の何れか１項に記載の空調装置。
【請求項５】
前記床下空間には、必要に応じて断熱を行うように構成した、請求項１乃至４のいずれか１項に記載の空調装置。
【請求項６】
前記空調機からの暖気又は冷気が空気吹き出し口から前記床下空間に送り込まれて床下空間の全面に亘って伝搬し、前記空調機の空気吸込口に戻ってくるように前記床下空間を分割させるとともに前記空気吹出口から空気吸込口まで連続した流路を形成するため、前記床下空間に設けた仕切壁を備えた、ことを特徴とする請求項１乃至５のいずれか１項に記載の空調装置。
【請求項７】
仕切壁は、前記地盤に対して、前記床下空間にシグザグ状に交互に曲折した流路を構成するように隣の流路との間を連通する連通口が互い違いに形成されている、もしくはＳ字の波形に流路を蛇行させている、ことを特徴とする請求項６に記載の空調装置。
【請求項８】
前記床材は、無垢材で構成されているとともに、
前記床材の前記床下空間に臨む表面部分の全面に、乾燥防止作用をもつ非通気性シートを取り付けた、ことを特徴とする請求項１乃至７のいずれか１項に記載の空調装置。
【請求項９】
前記床材は、無垢の天然木質床材で構成されているとともに、
前記床材の前記床下空間に臨む表面部分の全面に、乾燥防止層を形成したことを特徴とする請求項１乃至７のいずれか１項に記載の空調装置。
【請求項１０】
前記床材は、杉材、欅材、檜材、花梨材、胡桃材、楢材、樺材、桜材、椛材、楓材、ぶな材、栗材、桐材、チーク材、パイン材、ローズ材、タガヤサン材、ストロングウッド材、タモ材、パープルハート材、イペ材、セランガンバツ材、ピンカド材、及びケンパス材及びこれら床材に匹敵する木質を有する無垢の天然木質素材から選ばれた少なくとも一種類の床材若しくはこれらの組み合わせからなることを特徴とする請求項１乃至９のいずれか１項に記載の空調装置。
【請求項１１】
前記乾燥防止層は、ポリオレフィン系樹脂シート、塩化ビニル系樹脂シート、塩化ポリビニリデン系樹脂シート、アクリル系樹脂シート、天然または合成ゴムシートから選ばれた少なくとも一つのシートからなることを特徴とする請求項１乃至１０のいずれか１項に記載の空調装置。
【請求項１２】
前記乾燥防止層は、エポキシ系やウレタン系などの液状の樹脂や合成ゴムなどを塗布または吹付けして成膜・硬化させてなる膜であることを特徴とする請求項１乃至１０のいずれか１項に記載の空調装置。
【請求項１３】
前記空調機の暖冷気吹き出し口上位を中心とする周辺に位置する床下空間の前記乾燥防止層と共に断熱材が配置されていることを特徴とする請求項１乃至１２のいずれか１項に記載の建物の空調装置。
【発明の詳細な説明】
【技術分野】
【０００１】
本発明は、空調機で建物の室内空間を効率良く冷暖房することができる空調装置に関するものである。
【背景技術】
【０００２】
建物の室内空間を空調するには、通常、空調機の室外機を建物の外部に設置すると共に、室内機を建物内部の室内に臨む部分に取り付け、当該空調機の室内機から暖気又は冷気を吹き出すことによって室内空間を暖房又は冷房することが行われている。通常、このような空調システムの場合は、室外機と室内機とからなる空調機を各部屋にそれぞれ設置しなければならない。また、例えば全館集中空調システムを採用するならば、１か所に設けた空調機から空調された空気を各部屋へダクトなどで供給するような設備が必要である。
【０００３】
上記従来の部屋ごとの空調システムによると、部屋数が多い場合には、空調機の数が増えるため経済的負担が大きくなるとともに、美観も損ねるものであり、しかも部屋ごとに設置スペースが必要である。また、全館集中空調システムの場合には、各部屋まで伸ばすダクトが長くなるので設備工事が複雑になり手間がかかるため、コストが嵩む。
【０００４】
更に、従来の空調システムでは、部屋の壁に取り付けた室内機のファンを用いて暖気又は冷気を吹き出し、且つ上下方向や左右方向に動くフィンを介在させて吹出方向を微調整できるようにしてあるが、それでも部屋の内部で温度差が生じ易いという問題があった。特に、天井が高い室内にあっては、暖房運転の際に天井付近に暖気が集まり、床面側との温度差が大きくなり易い。
【０００５】
このような温度差の問題を解決する技術としては、従来、例えば特許文献１に開示されているように天井放射パネル面を冷却又は加熱して室内の冷暖房を行なうようにした天井放射冷暖房装置が知られている。この場合は、季節や天候、人数などの環境で室内の熱負荷は変動するため、快適な室内環境にするためには運転開始後、安定するまで時間が掛かるという課題を解決するためになされた発明であり、立ち上がり時間の短縮や室内の熱負荷にあわせた温度制御が可能であり、短時間で快適性を向上させることができるようにしたものである。この特許文献１のものでは、冷房の場合には特に問題ないが、暖房の場合には、床側の温度が低く足元が冷えるなど、暖房効率の面で問題がある。
【０００６】
特許文献２には、冷水及び温水の少なくとも一方を熱媒体として流す熱媒体流路と、この熱媒体流路を流れる熱媒体から受熱して放射する放射板とを有する放射パネルを部屋の床に備えている空調システムが開示されている。この場合は、部屋の床全面に放射パネルを敷設する部分と敷設しない部分とを交互に設けるように構成し、エネルギーの無駄を防ぐと共に床下に設けたＯＡ機器の配線等の保守及び点検ができるようにしたものである。ところが、この特許文献２のものでは、初期に設備コストがかかるのと、メンテナンスが比較的短い期間間隔で必要なので長期的に見て問題である。
【先行技術文献】
【特許文献】
【０００７】
【特許文献１】特開２００６−２５８３７７
【特許文献２】特開２００６−２１４６９５
【発明の概要】
【発明が解決しようとする課題】
【０００８】
本発明は、上記従来技術に鑑みてなされたもので、各部屋に空調機をそれぞれ設けることなく少なくとも１つの空調機を使用することで、建物内部のすべての部屋を効率良く冷暖房することができ、且つ部屋の内部で生じ易い温度差を抑えられるようにした、換言すれば、低コストで冷暖房時の室内冷暖房温度を均一に調整することが可能な空調装置を提供することを目的とする。
【課題を解決するための手段】
【０００９】
上記の目的を達成するため、
（１）本発明の空調装置は、
建物の室内空間を空調する空調装置であって、
基礎又は階下の天井と、床材との間に形成される床下空間に向けて空調された暖気又は冷気を送り込む空調機と、
前記建物の室内空間の温度に応じて前記空調機の運転を制御する制御部と、
を備えた、ことを特徴としている。
この構成によれば、各部屋まで伸ばすダクトが不要で工事が簡単になるので、コストの削減を図ることができる。さらに、この構成によれば、床下空間からの冷気又は暖気が熱伝導されて床材からの輻射冷熱又は輻射温熱による室内冷房又は暖房作用を行うので、室内空間で生じ易い温度差を抑えることができ、室内冷暖房温度を効果的に均一化することが可能となる。
【００１０】
（２）、前記（１）に記載の本発明の空調装置において、
前記床下空間は、基礎と床材との間に形成される密閉された床下全体が、一つの、単一空間から構成されるとともに、前記空調機は単一のものから構成された、ことを特徴とする。
この構成によれば、床下空間が密閉されているので、室内空間に対する冷暖房効率も高められ、低ランニングコストでの冷暖房が可能である。また、床下空間が密閉されていることにより、塵埃の侵入が抑制でき、環境的にも衛生的にも優れた冷暖房運転が可能となる。しかも、室内空間に対して床下空間が密閉されていることで、逆に、室内に塵埃などがあってもその塵埃などが床下空間に流入することが阻止されているので、空調機に設けてあるフィルタ清掃などのメンテナンスも頻繁に行う必要がなく、手間が大幅に省ける。
【００１１】
（３）、前記（１）に記載の本発明の空調装置において、
前記床下空間の空気を室内空間へ移動させることにより空気の滞留し易い箇所を無くし、前記床下空間全体に暖気又は冷気を均一に行きわたらせ、床下空間の温度を円滑に均一にするために、前記床材に配設した開閉調整が可能な流動調整口と、を備えたことを特徴とする。
この構成によれば、建物の床下空間に空調機で空調された暖気又は冷気を流通させても、床材の床下空間に臨む表面部分の全面に、乾燥防止層を形成してある。その結果、その暖気又は冷気の流通によって無垢の天然木質床材内部に含まれる水分が奪われるのを防止できる。これにより、無垢の天然木質床材の反りやひび割れ、ささくれなどの発生を大幅に低減することができる。即ち、空気の滞留し易い箇所を無くすことで床下空間の温度をほぼ均一にすることができる空調装置を設けた建物において、無垢の天然木質床材の反り、ひび割れ、ささくれなどの発生を大幅に低減できるようになる。
【００１２】
（４）、前記（１）又は前記（３）に記載の本発明の空調装置において、
前記建物は、平屋または２階以上からなる構成であって、
２階以上の階層での床下空間は、前記１階部分の床下空間と連通管で連通されているとともに、
１階部分の床下空間において前記空調機の空気吹出口付近と前記連通管との間に開閉手段を備え、かつ、
前記空調機で冷、暖房運転を行う場合には、前記開閉手段を開いて、前記空調機からの冷、暖気を前記２階以上の階層での床下空間にも送り込むように構成した、ことを特徴としている。
この構成によれば、２階建て住宅やマンションなどの集合住宅あるいは事務所などであっても、クリーンで静かな冷暖房が行える。
さらに、この構成によれば、２階以上の階層での室内へ送り込む場合、２階以上の階層での室内の区分状態にもよるが、空調機の空気吹出口の近傍１か所から空調された空気をまとめて送り出すように構成することで送気管の長さは最小限で済む。従って、その分、経済的であるとともに合理的である。
【００１３】
（５）、前記（１）乃至前記（４）のいずれかに記載の本発明の空調装置において、
前記床下空間には、必要に応じて断熱を行うように構成した、ことを特徴としている。
【００１４】
（６）、前記（１）乃至前記（５）のいずれかに記載の空調装置において、
前記空調機からの暖気又は冷気が空気吹き出し口から前記床下空間に送り込まれて床下空間の全面に亘って伝播し、前記空調機の空気吸込口に戻ってくるように前記床下空間を分割させるとともに前記空気吹出口から空気吸込口まで連続した流路を形成するため、前記床下空間に設けた仕切壁を備えた、ことを特徴としている。
この構成によれば、空調機からの暖気又は冷気が、連続した一続きの空間であるが仕切壁で細かく仕切られた床下空間に送り込まれて床下空間の直上の床材に均一化されて伝搬し、室内空間に対して均一な冷暖房を行うことができる。
【００１５】
（７）、前記（６）に記載の空調装置において、
仕切壁は、前記地盤に対して、前記床下空間にシグザグ状に交互に曲折した流路を構成するように隣の流路との間を連通する連通口が互い違いに形成されている、もしくはＳ字の波形に流路を蛇行させている、ことを特徴としている。
【００１６】
（８）、前記（１）乃至前記（７）のいずれかに記載の空調装置において、
前記床材は、無垢材で構成されているとともに、前記床材の前記床下空間に臨む表面部分の全面に、非通気性シートを取り付けた、ことを特徴としている。
この構成によれば、床材が無垢材で構成されている場合には、非通気性シートで覆われた無垢材が設置される部分の湿度が保たれているので、空調機から吹き出す空気で、床材である無垢材に含まれる水分が過剰に奪われて、ひび割れなどが発生するのを防止できる。
【００１７】
（９）、前記（１）乃至前記（７）のいずれかに記載の空調装置において、
前記床材は、無垢の天然木質床材で構成されているとともに、
前記床材の前記床下空間に臨む表面部分の全面に、乾燥防止層を形成したことを特徴とする。
この構成によれば、建物の床下空間に空調機で空調された暖気又は冷気を流通させても、床材の床下空間に臨む表面部分の全面に、乾燥防止層が形成されているので、その暖気又は冷気の流通によって無垢の天然木質床材内部に含まれる水分が奪われるのを防止できる。その結果、無垢の天然木質床材の反り、ひび割れ、ささくれなどの発生を大幅に低減することができる。即ち、各部屋に空調機をそれぞれ設けることなく少なくとも１つの空調機を使用することで、建物内部のすべての部屋を冷暖房することができる空調装置を設けた建物において、前記床材、すなわち無垢の天然木質床材の変質、例えば反り、ひび割れ、ささくれなどの発生を大幅に低減できるようになる。
【００１８】
（１０）、前記（１）乃至前記（９）のいずれかに記載の空調装置において、
前記床材は、杉材、欅材、檜材、花梨材、胡桃材、楢材、樺材、桜材、椛材、楓材、ぶな材、栗材、桐材、チーク材、パイン材、ローズ材、タガヤサン材、ストロングウッド材、タモ材、パープルハート材、イペ材、セランガンバツ材、ピンカド材、及びケンパス材及びこれら床材に匹敵する木質を有する無垢の天然木質素材から選ばれた少なくとも一種類の床材若しくはこれらの組み合わせからなることを特徴とする。
この構成によれば、床材が、杉材、欅材、檜材、花梨材、胡桃材、楢材、樺材、桜材、椛材、楓材、ぶな材、栗材、桐材、チーク材、パイン材、ローズ材、タガヤサン材、ストロングウッド材、タモ材、パープルハート材、イペ材、セランガンバツ材、ピンカド材、及びケンパス材及びこれら床材に匹敵する木質を有する無垢の天然木質素材から選ばれた少なくとも一種類の床材若しくはこれらの組み合わせからなり、これらの無垢の天然木質床材に反り、ひび割れ、ささくれなどの発生を大幅に低減させることができるので、床面の美観が長期間に亘って保持でき、床材のささくれ等によって居住者が怪我をする危険を回避できる。
【００１９】
（１１）、前記（１）乃至前記（１０）のいずれかに記載の空調装置において、
前記乾燥防止層は、ポリオレフィン系樹脂シート、塩化ビニル系樹脂シート、塩化ポリビニリデン系樹脂シート、アクリル系樹脂シート、天然または合成ゴムシートから選ばれた少なくとも一つのシートからなることを特徴とする。
この構成によれば、前記乾燥防止層は、ポリオレフィン系樹脂シート、塩化ビニル系樹脂シート、塩化ポリビニリデン系樹脂シート、アクリル系樹脂シート、天然または合成ゴムシートから選ばれた少なくとも一つのシートからなるもので、十分な乾燥防止機構の効果が得られる。
【００２０】
（１２）、前記（１）乃至前記（１０）のいずれかに記載の空調装置において、
前記乾燥防止層は、エポキシ系やウレタン系などの液状の樹脂や合成ゴムなどを塗布または吹付けして成膜・硬化させてなる膜であることを特徴とする。
この構成によれば、前記乾燥防止層は、エポキシ系やウレタン系などの液状の樹脂や合成ゴムなどを塗布または吹付けして成膜・硬化させてなる膜であるので、十分な乾燥防止機構の効果が得られる。
【００２１】
（１３）、前記（１）乃至前記（１２）のいずれかに記載の空調装置において、
前記空調機の暖冷気吹き出し口上位を中心とする周辺に位置する床下空間の前記乾燥防止層と共に断熱材が配置されていることを特徴とする。
この構成によれば、前記空調機の暖冷気吹き出し口上位を中心とする周辺に位置する床下空間の前記乾燥防止層と共に断熱材が配置されているので、空調機の室内機から吹き出される暖気または冷気による熱が床材側に過度に伝わり、前記床材からの水分が気化され、前記床材の変質、例えば反ったり、ひび割れしたりする所謂木質床材の暴れを防ぎ、無垢の天然木質床材の長所を長期にわたり保つことができる。この断熱材によって前記空調機の暖冷気吹き出し口上部の床材が局所的に過度に熱くなったり、冷たくなったりすることを防ぎ、床材温度の均一化を図ることで、快適な空調を実施することができる。また、結果として床材の品質を均一に保ち、天然木質床材のみしか得られない審美性溢れる自然味が満喫できる快適な居住空間を創出することができる。
【発明の効果】
【００２２】
本発明の空調装置は、基礎及び床材との間に形成される床下空間に空調機から空調された暖気又は冷気が、送り込まれて床下空間の直上の床材に伝搬し、その床材から輻射熱又は輻射冷熱が室内空間に放射される。その結果、各部屋に空調機をそれぞれ設けることなく少なくとも１つの空調機を使用することで、建物内部のすべての部屋を効率良く冷暖房することが可能となる。しかも、輻射による冷暖房であるので室内空間で生じ易い温度差を抑えることも可能である。
従って、低コストで冷暖房時の室内温度を均一に調整することができる。
【図面の簡単な説明】
【００２３】
【図１】本発明の第１の実施形態に係る空調装置が適用された住宅を示す断面図である。
【図２】図１の断面図である。
【図３】図１の空調装置の電気的な構成を示すブロック図である。
【図４】本発明の第２の実施形態に係る空調装置が適用された住宅を示す断面図である。
【図５】本発明の第３の実施形態に係る空調装置の要部を示す概略説明図である。
【図６】その空調装置の暖気又は冷気の流量を調節するための開閉部材の一例を示す概略斜視図である。
【図７】その空調装置の暖気又は冷気の流量を調節するための開閉部材の他の例を示す概略斜視図である。
【図８】本発明の第４の実施形態に係る空調装置の分流手段として、例えば切替弁を用いる例を示す要部の概略断面図である。
【図９】その空調装置を備えた住宅を示す概略説明図である。
【図１０】（Ａ）、（Ｂ）は、それぞれ本発明の空調装置の変形例を示す説明図である。
【発明を実施するための形態】
【００２４】
以下、本発明の実施形態について、添付図面を参照しながら詳細に説明する。
（第１の実施形態）
図１は、本発明の第１の実施形態に係る、空調装置１Ａを設置した建物（以下、住宅１０Ａ）を示すものであり、特にこの空調装置１Ａでは、ヒートポンプを用いた空調機２と、床下空間Ｓ１に設けた仕切壁３と、空調機２の運転を制御する制御部（コントローラ）４と、室内空間Ｓ２に設けた温度センサ５と、後述するコンクリートの基礎１２と床下空間Ｓ１との間に設置された断熱材８と、を備えており、空調機２から床下空間Ｓ１に送り込まれる暖気（又は冷気）により床面を温ため（又は冷やし）、その床からの温熱輻射（又は冷熱輻射）を利用して、室内の暖房（又は冷房）を行うように構成されている。
【００２５】
室内空間Ｓ２は、床材１１、基礎１２によって周囲を取り囲まれて密閉状態の空間で構成されている。また、図２に示すように、基礎１２には、詳細は後述するが、床下空間Ｓ１に臨む壁側と、後述の地盤側の表面とに、断熱材８が取り付けてある。なお、本発明の断熱材の設置場所は、冷暖房させる室内空間がどこかによって適宜変更可能な構成であり、例えばこの第１の実施形態では、床材１１の上の室内空間Ｓ２を冷暖房させる構成のために、床材１１の下面（裏面）には断熱材８を設けていない。
【００２６】
床材１１は、できるだけ熱伝導効率の高い材質のもので構成するのが好ましい。同時に、この床材１１は、床下空間Ｓ１からの湿気や塵埃などが室内空間Ｓ２へ侵入するのをできるだけ回避させるため、床下空間Ｓ１と室内空間Ｓ２との間で空気の流通性ができるだけ少ない材料（空気遮断性の高い材料）で形成することが好ましい。また、基礎１２は、床下部分の全面に亘って防水シートを介してコンクリートが打設してある。なお、本実施形態では、木製の床材１１を床面に敷き詰める構成としたが、床下空間に密閉性を付与できるのであれば、合板フローリングなどでもよいし、床板の上に畳やカーペットなどを敷き詰めてあっても、勿論、適用可能である。
【００２７】
空調機２は、住宅１０Ａの床材１１及び基礎１２によって周囲を取り囲まれて密閉状態の空間が形成された床下空間Ｓ１に向けて空調された暖気又は冷気を送り込むものである。
本実施形態の空調機２は、ヒートポンプを用いたエアコン（特に、このヒートポンプ方式に限定されるものではない。）で構成されており、連通管及び排水管（まとめて符号２１で示す）で連通された室内機２Ａ及び室外機２Ｂで構成されている。なお、本実施形態の空調機２は、制御部４と一体に設けてある温度センサ５の設置高さでの室内温度が設定温度に達するまで、その設定温度に関係なくそれよりも高温の風（暖房時）又は低温の風（冷房時）が吹き出すような構成となっており、冷暖房効果が迅速に得られるようになっている。なお、本実施形態では空調機を１台だけ設置してあるが、勿論、この１台に限定されるものではなく、室内空間（床上空間）Ｓ２の容積や空調機のパワーによっては２台（あるいはそれ以上でもよい）設置してもよい。
【００２８】
仕切壁３は、床下空間Ｓ１を複数の空間に分割させるようになっており、床下空間Ｓ１に向けて送り込まれた暖気又は冷気を利用して、室内空間Ｓ２（床上空間）をできるだけ局所的な温度むらなどのない、均一な状態で暖房又は冷房させるものである。なお、本発明の場合、例えば床下空間Ｓ１があまり広くない場合や、床下空間Ｓ１の広さに対して空調機２のパワーが大きい場合であれば、この仕切壁３については必ずしも必要とするものではない。
【００２９】
本実施形態の仕切壁３は、床下空間Ｓ１にシグザグ状に交互に曲折した空気の通路（流路）を構成するように隣の通路（流路）との間の連通口３Ａが互い違いに形成されている。即ち、本実施形態の仕切壁３は、空調機２の室内機２Ａの空気吹出口２２から空調機２の室内機２Ａの空気吸込口２３まで、連続した（ひと筆書きの要領で）一続きの流路を形成するようになっており、空調機２の室内機２Ａで形成された暖気又は冷気が室内機２Ａの空気吹出口２２から床下空間Ｓ１内に向けて送り込まれ、床下空間Ｓ１の全面に亘って隅々まで効果的に伝搬していくとともに、空調機２の室内機２Ａの空気吸込口２３に戻ってくる。
なお、本発明の仕切壁についても、勿論、上記のような形状に限定されるものではない。例えば、Ｓ字の波形に流路を蛇行させることで、床下空間での温度均一性をさらに高めるように構成してもよい。また、本実施形態の仕切壁３については、特に本発明では必須のものではない。
【００３０】
また、本実施形態の空調装置１Ａには、通常設置する断熱材とは別に、コンクリートで形成された基礎１２のうち床下空間Ｓ１に臨む地盤側のコンクリート部分（これを基礎（地盤側）３３とよぶ。）のうち上面（表面）と、基礎１２の壁面（これを基礎（壁側）３２とよぶ。）のうち特に床下空間Ｓ１に臨む内壁面とに、断熱材８が設置されている。
【００３１】
さらに、図１に示すように床材１１などに使用している木部として無垢の自然木が用いられている場合には、その無垢材が使用されている部分、例えば本実施形態では無垢材を用いた床材１１において床下空間Ｓ１に臨む下面１１Ａの全面に亘って、通気性のないＰＥなどの当業者により用いられている乾燥防止作用をもつ非通気性シート９を取付けてある。床材が無垢材で構成されている場合には、この非通気性シート９を取付けることによって、非通気性シートで覆われた無垢材が設置される部分の湿度が保たれるので、空調機から吹き出す空気で、床材である無垢材に含まれる水分が過剰に奪われて、ひび割れなどが発生するのを防止できるわけである。
【００３２】
制御部４は、住宅１０Ａの室内空間Ｓ２の温度に応じて空調機２の運転を制御するためのものであり、図１及び図３に示すように、操作部４１によって空調装置１Ａの運転動作を操作するようになっている。本実施形態の制御部４は、図３に示すように、入力が温度センサ５の出力に接続されているとともに、出力がヒートポンプを用いたエアコン（前述したように、この方式には限定されない）を構成する空調機２の入力に接続されている。
【００３３】
また、この制御部４には、図示しない、運転スイッチ、冷房／暖房の切り替えスイッチ、温度設定スイッチなどで構成された操作部４１が設けられている。この操作部４１では、例えば、冷房／暖房の切替スイッチでの操作によって、空調機２の運転動作が冷房／暖房のいずれかに切替えられる。また、温度設定スイッチによって、冷房／暖房運転の際の室温を自由に設定変更させることができるようにするため、図示外のメモリが制御部４の内部に備えられている。
【００３４】
温度センサ５は、夏季及び冬季などの季節に応じて制御部４において設定されている室内空間Ｓ２での快適な温度を実現させるため、具体的には、室内温度を検知して空調機２での運転制御のために、制御部４へその検知データを出力するようになっている。本実施形態の温度センサ５は、外気温の影響を受けない領域であって、かつ、室内空間Ｓ２の最適な高さの部分に設置されている。
【００３５】
従って、本実施形態の空調装置１Ａによれば、夏季などや暑い日には、操作部の運転スイッチをオンするとともに、操作部４１によって冷房に設定する。ここで、この冷房を設定する場合、これ以外に何も操作しない限り、このまま自動運転が開始する。そして、自動運転が開始されると、冷房目標温度が予め設定されている所定の標準温度（例えば２３℃）が適用され、空調機２が作動を開始する。即ち、室内空間Ｓ２での室温が低下して温度センサ５からこの標準温度に対応する検出信号が制御部４に出力されるまで、空調機２であるヒートポンプを用いたエアコンが冷房運転を行う。なお、操作者が、操作部に設けた設定温度を変更すると、その温度を冷房目標温度として、同様の冷房運転が行われる。
【００３６】
即ち、空調機２であるヒートポンプを用いたエアコンでは、室内機２Ａの空気吹出口２２から冷却された空気が床下空間Ｓ１内に向けて送り込まれる。そして、シグザグ状に交互に曲折し、細かく分割された床下空間Ｓ１内の空間、つまり空気の通路（流路）を冷気が通過していく際に、冷熱がその直上の床材１１に伝搬し、床材１１が冷却されるとともに、この冷却された床材１１から輻射冷熱が室内空間Ｓ２に放出される。このように、床下空間Ｓ１内が仕切壁３で細かく分割されているので、室内空間Ｓ２に対して冷却動作が均一化された、冷房動作が行える。
【００３７】
また、この標準温度に到達してこの温度に対応する信号が温度センサ５から出力されると、運転が一時的に停止するが、その後、例えば標準温度よりも所定の温度（例えば摂氏２度）だけ室温が上昇したことが、温度センサ５からの検出信号で検知すると、冷房運転を再開する。
【００３８】
なお、冬季や寒い日には、操作部４１の操作により暖房運転についても、制御部４の制御によって空調機２であるヒートポンプを用いたエアコンの運転動作が制御され、同様に、室内空間Ｓ２に対して暖房却動作が均一化された、暖房運転が行われる。即ち、空調機２が暖房運転を行うと、床下空間Ｓ１内に向けて送り込まれる暖気が伝搬されて暖められた床材１１から輻射熱が室内空間Ｓ２に輻射される。
【００３９】
本実施形態によれば、各部屋まで伸ばしてダクトを設置しなくとも全室の集中冷暖房を実現でき、コスト（イニシャルコスト及びランニングコスト）の削減を図ることが可能になる。特に、基礎と床材との間に形成される床下空間Ｓ１が、密閉された単一空間から構成されるとともに、空調機２を単一のもの（勿論、床面積が広ければ２台以上でもよいが）で構成可能になるので、空調装置１Ａとしてのコストを削減可能になる。
【００４０】
（第２の実施形態）
次に、本発明に係る第２の実施形態について図面を参照しながら説明する。なお、本実施形態において、第１の実施形態と同一部分には同一符号を付して重複説明を避ける。
図４は、本発明の第２の実施形態に係る、空調装置１Ｂを設置した二階建住宅１０Ｂを示すものであり、この空調装置１Ｂが第１の実施形態の空調装置１Ａと異なる点は、２階部分の床下（１階部分の天井裏）が密閉された床下空間Ｓ３が形成されているとともに、その床下空間Ｓ３と１階部分の床下空間Ｓ１との間が送気管２４で連通されており、かつ、コンクリートの基礎１２と床下空間Ｓ１との間に設置された断熱材８（詳細は第１の実施形態を参照）の他に、床下空間Ｓ３内の周囲の壁面にも断熱材８が設置されている。
また、図４では省略しているが、各室内空間Ｓ２、Ｓ４の壁面や天井などにも断熱材が敷設してある。
【００４１】
また、この実施形態では、１階部分の床下空間Ｓ１において、空調機２の空気吹出口２２（図２参照）付近の送気管２４の入口に開閉手段である、電磁式（勿論、手動式でもよい）の開閉弁２５を付設してあり、制御部４により電磁的な開閉操作が行われるようになっている。この開閉弁２５は、２階の室内空間Ｓ４で冷暖房運転を行う場合、特に２階での冷房運転を行う場合（勿論、暖房運転を行うでも開放してもよい）、操作部４１に設けた図示外の開閉スイッチを操作すると、制御部４からの制御により開閉弁２５が開弁されて冷気が２階部分の床下空間Ｓ３へ送り込まれる。このように、制御部４によって開閉弁２５の制御を行うことで、所望の階に対する冷暖房が選択的にあるいは各階で同時に実施可能となっている。
【００４２】
従って、本実施形態によれば、２階建住宅１０Ｂであっても、開閉弁２５を開くことで、１階部分の床下空間Ｓ１に設けた空調機２を、空気吹出口２２（図２参照）付近の送気管２４から取り込んで、２階部分の床下空間Ｓ３へも送り込ませることができる。これにより、２階の室内空間Ｓ４でも静かでクリーンな冷房が実現できる。なお、送気管２４には、壁の一部を利用した構成でもよいが、その周囲にも図示しないが断熱材が設置されている。
【００４３】
（第３の実施形態）
次に、本発明に係る第３の実施形態について図面を参照しながら説明する。なお、本実施形態において、第１、第２の実施形態と同一部分には同一符号を付して重複説明を避ける。
【００４４】
図５は、本発明の第３の実施形態に係る空調装置を設置した住宅１０Ｃの要部を示す概略説明図である。図中、３３は基礎、５２は外壁であり、床材５３（又は床材５３を張って形成した床）と基礎３３（１２）とにより挟まれた領域に床下空間Ｓ１が設けられ、内壁５４又は間仕切りにより複数（図示の例では３つ）の部屋Ａ、Ｂ、Ｃが形成されている。又、床下空間Ｓ１の底部の上面には断熱材８が敷設されると共に、側部の内面にも断熱材８が取り付けられ、更にほぼ居住空間全体が断熱材５７により囲まれている。さらに、床材５３の、床下空間Ｓ１に臨む下面には、全面に亘って乾燥防止層５０が形成されているとともに、後述する空調機２の室内機２Ａと乾燥防止層５０との間には、断熱材６０が介装されている。
尚、各部屋Ａ、Ｂ、Ｃの天井材や床材５３の支持構造、屋根等は図示されていない。
【００４５】
前記床材５３は、無垢の天然木質床材で構成されており、この無垢の天然木質床材としては、杉材、欅材、檜材、花梨材、胡桃材、楢材、樺材、桜材、椛材、楓材、ぶな材、タモ材、パープルハート材、イペ材、セランガンバツ材、ピンカド材、ケンパス材の何れか、若しくはこれらの組み合わせからなるものであるが、特にこの発明では、前記床材と同等の品質をもつ無垢の天然木質床材であればよく、前記列記した床材に限定されるものではない。
【００４６】
床材５３には、１つ又は複数の流動調整口５１が設けられる。図示の例では、床下空間Ｓ１における室内機２Ａと反対側の隅部に位置させて、前記部屋Ｃの床材部分に流動調整口５１が１つ設けられているがこれに限定されない。この流動調整口５１は、床下空間Ｓ１内の暖気又は冷気の一部を室内側（ここでは部屋Ｃ）に移動させることにより、床下空間Ｓ１内の暖気又は冷気に流動を生じさせて床下空間Ｓ１の隅部まで十分に行き渡らせるためのものである。これにより、床下空間Ｓ１の温度をほぼ均一にすることができる。尚、図５の部屋Ｂの床材５３のように、このような流動調整口５１を設けないで実施する場合もある。
【００４７】
又、流動調整口５１は、暖気又は冷気の流量を調節するための開閉部材を取り付けることが好ましい。この開閉部材としては、例えば図６に示すように枠体５５Ａと、この枠体５５Ａの内側に回転可能に並設された複数のルーバー板５５Ｂからなる開閉部材５５を用いることができるが、これに限定されない。
【００４８】
上記開閉部材としては、例えば図７に示すように開閉部材５６を用いることもできる。当該開閉部材５６は、下側の固定円板５６Ａの円周方向に複数個形成された扇形孔５６Ｃに対して、上側の回転円板５６Ｂの円周方向に複数個形成された扇形孔５６Ｄの位置を変えることで、固定円板５６Ａの扇形孔５６Ｃを全閉〜全開の範囲内で自由に調節することができる。 
【００４９】
また、床材５３の下面である、床下空間に臨む下面には、図５に示すように、全面に乾燥防止層５０を形成してある。この乾燥防止層５０は、この乾燥防止層５０で覆われた無垢の天然木質床材が設置される部分の湿度を保持することによって、床材５３を構成する無垢の天然木質床材が室内機２Ａから吹き出す空気の流れなどでその内部に含まれる水分が過剰に奪われて、反り、ひび割れ、ささくれなどが発生するのを大幅に低減するものである。
【００５０】
前記乾燥防止層５０には、ポリオレフィン系樹脂シート、塩化ビニル系樹脂シート、塩化ポリビニリデン系樹脂シート、アクリル系樹脂シート、天然または合成ゴムシートなどから選ばれた少なくとも一つのシートなどが用いられているが、この発明においては特にこれらのものに限定されるものではない。すなわち、前記乾燥防止層５０は、エポキシ系やウレタン系などの液状の樹脂や合成ゴムなどを刷毛やローラーで塗布するか、吹付機により吹付けて成膜・硬化させることによってなる膜であってもよい。この場合にはウレタンゴム系、アクリルゴム系、クロロプレン系、ゴムアスファルト系、ＦＲＰ系などから選ばれた少なくとも一つの塗料が用いられるが、この発明においては特にこれらのものに限定されるものではない。
【００５１】
前記乾燥防止層５０は、前記のように無垢の天然木質床材と床下空間との間に形成する必要があるが、下地材や断熱材の有無によっては、下記のような構造となる。
【００５２】
【表１】
2011047635.tif 000003
【００５３】
【表２】
2011047635.tif 000004
【００５４】
さらに、室内機２Ａと、床材５３の下面に取り付けられた乾燥防止層５０との間には、断熱材６０が敷設されている。この断熱材６０には、発泡材、例えばポリウレタン系の発泡体などが用いられている。従って、この断熱材６０により、室内機２Ａの暖冷気吹き出し口付近の床材が局所的に過度に熱くなったり冷たくなったりすることを防ぎ、床材温度の均一化を図り、快適な居住空間を提供することができる。
【００５５】
（第４の実施形態）
次に、本発明に係る第４の実施形態について説明する。なお、本実施形態においても、第１乃至第３の実施形態と同一部分には同一符号を付して重複説明を避ける。
【００５６】
図８及び図９は、本発明の第４の実施形態に係る空調装置を設置した戸建ての住宅（２階建て）１０Ｄ（図９参照）を示すものであって、前述したように、Ｓ１は１階の床下空間であり、床材５３（詳しくは床材５３を張って形成した床）と基礎３３とにより挟まれた領域によって形成され、当該領域の下方の基礎３３の上面には断熱材８が敷設されている。
【００５７】
前記床材５３の要所には複数の流動調整口５１が設けられ、図示は省略したがこれらの流動調整口５１には前記開閉部材５５（又は開閉部材５６）がそれぞれ取り付けられている。前記と同様に外壁５２の内側には断熱材（図略）が取り付けられている。尚、５８は１階の天井材である。
【００５８】
Ｓ３は２階の床下空間であり、床材５３（又は床材５３を張って形成した床）と前記１階の天井材５８とにより挟まれた領域によって形成され、当該領域の下方の１階の天井裏には断熱材５７が敷設されている。
【００５９】
この戸建ての住宅１０Ｄでも、１階部分の床材５３が無垢の天然木質床材で構成されている。なお、この床材５３の、床下空間Ｓ１に臨む下面の全面にも、乾燥防止層５０が取り付けられている。
【００６０】
さらに、この戸建ての住宅１０Ｄの２階部分でも、図９に示すように、床材５３にも、分流手段６３を介して空調機２からの暖気又は冷気が送り込まれる２階の床下空間Ｓ３に臨む下面に、一階の床材５３と同様の乾燥防止層５０が取り付けられている。
【００６１】
前記２階の床材５３においても要所に複数の流動調整口５１が設けられ、図示は省略したがこれらの流動調整口５１には前記開閉部材５５（又は開閉部材５６）がそれぞれ取り付けられている。
【００６２】
図９において、室内機２Ａの空気吹出口２２から吹き出される暖気又は冷気は、建物内に設けられた送気路６１により１階の床下空間Ｓ１と、２階の床下空間Ｓ３とに吹き込まれる。この場合、空調機２を制御する制御部（コントローラ）は図示されていない。尚、送気路６１は階段に形成される空間を利用することができる。
【００６３】
６３は分流手段であり、前記送気路６１内の下端部に設けて空気吹出口２２に対向させてある。この分流手段６３としては、例えば図８に示すように切替弁を用いることができるが、これに限定されない。
【００６４】
図８、図９において、６２は住宅の内部に設けられた換気路であり、下端部は前記室内機２Ｂの空気吸込口２３に連通し、上端部は前記２階の部屋Ｇに開口する流入口６２Ａが設けられている。
【００６５】
２階の床下空間Ｓ３に吹き込まれた暖気により、２階の床下空間Ｓ３内の空気は徐々に加温されて温度が上昇すると共に、床材５３に伝熱して当該床材５３の温度を上昇させる。この時、前記開閉部材５５（又は開閉部材５６）を僅かに開くと、２階の床下空間Ｓ３内の暖気の一部が流動調整口５１を通過して部屋Ｇ、Ｈ、Ｉにそれぞれ流動する。このため、２階の床下空間Ｓ３内で緩やかに暖気の流動が生じ、隅部にまで暖気が十分に到達する。これにより、２階の床下空間Ｓ３内の温度をほぼ均一にすることができる。
【００６６】
以上は暖房モードの場合に付いての説明であるが、冷房モードの場合も同様の要領で実施することが可能である。又、上記第４の実施形態は２階建ての場合であるが、本発明はそれに限定されずに３階以上の建物や地下階のある建物にも適用することが可能である。
【００６７】
３階以上の建物の場合には、図示は省略したが１階の床下空間からｎ階（ｎ≧２）の床下空間まで連通する送気路に分流手段を配設し、この分流手段によりｎ階までの任意の階の床下空間に暖気又は冷気を送り込めるように構成する。このような構成により、たとえビル等の建物であっても階数に関係なく十分適用することができる。
【実施例】
【００６８】
本発明の第１の実施形態に係る空調装置１Ａを設けた大小２種類の住宅において、冷暖房効果を確認するための実験を行ってみた。なお、この実験に用いた２種類の住宅には、最大室内高がおよそ７ｍの高い吹き抜け空間を有する床面積１２０坪（約３９６ｍ２）の大型住宅と、最大室内高がおよそ３．８ｍであって床面積３３坪（約１０９ｍ２）の平均的な住宅と用いた。また、前者の大型住宅では床面積が広いので６ＨＰの空調機を２台、後者の小型住宅では床面積が狭いので１．５ＨＰの空調機を１台用いてある。
その結果、それぞれ、下記の表３、表４に示すような、顕著な冷暖房効果が得られることが確認された（但し、ここでは冷房実験でのデータを掲載）。
【００６９】
【表３】
2011047635.tif 000005
【００７０】
【表４】
2011047635.tif 000006
【００７１】
本発明の空調装置１Ａを用いた上の実験結果から、１つの空調機２を使用するだけで、建物内部のすべての室内空間Ｓ２を効率良くほぼ均一温度に冷房できることが確認できるとともに、室内で生じ易い温度差も抑えられることも確認できた。換言すれば、冷房時の室内温度を低コストで均一に調整できる、との知見を得ることができた。なお、表３において、運転を始めて６０分後の天井部分の近傍が若干温度上昇しているが、西向きの壁面に設けた大きな窓の部分から差し込む西日の影響によるものと思われる。
【００７２】
しかも、この冷暖房効果は、床下空間Ｓ１に直接臨む床面を構成する床材１１から最初に効いてくるので、この床材１１に直接触れる足の部分にはその冷たい状態や暖かい状態を最初に体感できる。また、通常一般に、足の部分は冷たさや温かさを最も感じ易い部分の一つであることから、設定温度を冷房時には若干高め、暖房時には若干低めに設定してあっても、冷暖房効果が迅速にかつ効果的に得られ、エネルギー的にも経済的にも好都合であるとともに、環境保護の立場からも好ましい。
【００７３】
また、上記した大小２種類の住宅では、トイレの床下部分が居室側の床下空間Ｓ１と連通しており、また風呂場についても居室側の床下空間Ｓ１と連通している構成のためか、特に小型の住宅の方（３３坪の方）の風呂場及びトイレ室内については、連通する床下空間Ｓ１からの暖気によって、冬季や寒い気温の日などには、いずれも効果的に暖められることが確認された。従って、老人などにとっても、冬場に安全で快適な風呂場及びトイレが実現可能になる。
【００７４】
なお、本発明は上記の実施形態に限定されるものではなく、その要旨を逸脱しない範囲において種々の形態で実施し得るものである。
即ち、本発明では、例えば図１０（Ａ）に示すような単純な仕切壁を直線的に１本形成したものや、同図（Ｂ）に示すような、全く仕切壁を設けていない構成のものであってもよい。
【００７５】
また、本実施形態では、床材を通してその上の室内空間を冷暖房させる構成について説明してきたが、特にこの構成に限定されるものではなく、例えば２階の床下空間（１階から見れば天井裏空間に相当）に冷暖気を送り込んで、１階の室内空間を冷暖房させる構成としてもよい。つまり、床下空間の上の室内空間か階下の室内空間の片方、もしくは両方を選択的に空調することが可能である。この場合、床下空間は、空調を行うべき室内空間と接する面以外を断熱構造（断熱材を設置）とすることで選択的な空調が実施できる。
【００７６】
なお、本発明の空調装置を上記の実施形態では平屋または２階建ての住宅に適用したが、勿論、３階以上の住宅に適用してもよいし、住宅以外の工場や２階建て以上の商業ビルやマンションなどの集合住宅へも適用可能である。さらに、地階を付設する建物などであってもよい。ここで、本発明の空調装置を２階建て以上の建物や地階を付設する建物に設置する場合、どこのフロアに設置するにしても、そのフロアの床下空間は、そのフロアの床材に面した部分以外に放熱してしまわないように、適宜の断熱材を適所に設置するのが効率が良く、好ましい。但し、空調効率が多少低下することはあっても、本発明の効果を実質的に奏することができるものであるならば、断熱材の敷設を省略しても構わない。
【産業上の利用可能性】
【００７７】
本発明の空調装置は、空調機から、床材と基礎との間に形成される床下空間に向けて、空調された暖気又は冷気が送り込まれて床下空間の直上の床材に均一に伝搬し、その暖められた又は冷却された床材から輻射熱又は輻射冷熱が建物の室内空間に均一に放射されるので、室内空間に対して均一で、静かな冷暖房を行うことができ、民間の住宅だけでなく、例えば病院、老人ホームなどにおける空調装置などとしても便宜である。
【符号の説明】
【００７８】
１Ａ，１Ｂ    空調装置
１０Ａ，１０Ｂ，１０Ｃ，１０Ｄ    住宅
１１，５３    床材
１２    基礎
２    ヒートポンプを用いた空調機
２Ａ    室内機
２Ｂ    室外機
２１    連通管（排水管）
２２    空気吹出口
２３    空気吸込口
２４    送気管
２５    開閉弁
３    仕切壁
３２    基礎（壁側）
３３    基礎（地盤側）
４    制御部
５    温度センサ
５０  乾燥防止層
５１    流動調整口
５５，５６    開閉部材
６１    送気路
６２    換気路
６３    分流手段
８，５７，６０    断熱材
９    非通気性シート
Ｓ１、Ｓ３    床下空間
Ｓ２、Ｓ４    室内空間
【図１】
2011047635.tif 000007
【図２】
2011047635.tif 000008
【図３】
2011047635.tif 000009
【図４】
2011047635.tif 000010
【図５】
2011047635.tif 000011
【図６】
2011047635.tif 000012
【図７】
2011047635.tif 000013
【図８】
2011047635.tif 000014
【図９】
2011047635.tif 000015
【図１０】
2011047635.tif 000016